【手続補正書】
【提出日】令和2年3月6日(2020.3.6)
【手続補正１】
【補正対象書類名】特許請求の範囲
【補正対象項目名】全文
【補正方法】変更
【補正の内容】
【特許請求の範囲】
【請求項１】
一酸化窒素のためのリザーバーであるリザーバー分子のナノ構造を含む、インプラント可能なデバイス。
【請求項２】
前記リザーバー分子が、脂質である、請求項１に記載のインプラント可能なデバイス。
【請求項３】
前記脂質が、修飾リン脂質である、請求項２に記載のインプラント可能なデバイス。
【請求項４】
アポリポタンパク質をさらに含む、請求項１〜３のいずれか一項に記載のインプラント可能なデバイス。
【請求項５】
前記脂質が、Ｓ−ニトロシル化脂質である、請求項２〜４のいずれか一項に記載のインプラント可能なデバイス。
【請求項６】
前記脂質が、Ｓ−ニトロシル化１，２−ジパルミトイル−ｓｎ−グリセロ−３−ホスホチオエタノール（ＤＰＰＴＥ）である、請求項２〜４のいずれか一項に記載のインプラント可能なデバイス。
【請求項７】
前記ナノ構造が、コア、および脂質二重層または単層を有する、請求項１〜４のいずれか一項に記載のインプラント可能なデバイス。
【請求項８】
前記コアが、金コアである、請求項７に記載のインプラント可能なデバイス。
【請求項９】
前記アポリポタンパク質が、アポリポタンパク質Ａ−Ｉ（ａｐｏＡ−Ｉ）である、請求項４〜８のいずれか一項に記載のインプラント可能なデバイス。
【請求項１０】
前記リザーバー分子が、脂質ではない、請求項１に記載のインプラント可能なデバイス。
【請求項１１】
前記リザーバー分子が、ＮＯ供与基を含有する、請求項１〜１０のいずれか一項に記載のインプラント可能なデバイス。
【請求項１２】
ステントである、請求項１〜９のいずれか一項に記載のインプラント可能なデバイス。
【請求項１３】
薬物溶出ステントである、請求項１〜１２のいずれか一項に記載のインプラント可能なデバイス。
【請求項１４】
ＮＯ媒介性障害を有する対象にＮＯを送達するための、リザーバー分子のナノ構造および一酸化窒素を含む組み合わせ物であって、前記リザーバー分子のナノ構造および一酸化窒素は、注射により、カテーテルを通して、またはインプラント可能なデバイス上から投与されることを特徴とする、組み合わせ物。
【請求項１５】
ＮＯ媒介性障害を有する対象にＮＯを送達するための、リザーバー分子のナノ構造および一酸化窒素を含む組成物であって、注射により、カテーテルを通して、またはインプラント可能なデバイス上から投与されることを特徴とする、組成物。
【請求項１６】
前記ＮＯ媒介性障害が、血管新生または虚血再かん流である、請求項１４に記載の組み合わせ物または請求項１５に記載の組成物。
【請求項１７】
前記ＮＯ媒介性障害が、再狭窄である、請求項１４に記載の組み合わせ物または請求項１５に記載の組成物。
【請求項１８】
血管介入が、血管形成術である、請求項１４に記載の組み合わせ物または請求項１５に記載の組成物。
【請求項１９】
前記ＮＯ媒介性障害が、アテローム性動脈硬化症である、請求項１４に記載の組み合わせ物または請求項１５に記載の組成物。
【請求項２０】
前記ＮＯ媒介性障害が、血圧の調節不全である、請求項１４に記載の組み合わせ物または請求項１５に記載の組成物。
【請求項２１】
前記ＮＯ媒介性障害が、移植後の移植片拒絶反応である、請求項１４に記載の組み合わせ物または請求項１５に記載の組成物。
【請求項２２】
前記リザーバー分子が、脂質である、請求項１４および１６〜２１のいずれか一項に記載の組み合わせ物または１５〜２１のいずれか一項に記載の組成物。
【請求項２３】
前記脂質が、修飾リン脂質である、請求項２２に記載の組み合わせ物または組成物。
【請求項２４】
前記ナノ構造が、アポリポタンパク質をさらに含む、請求項１４および１６〜２３のいずれか一項に記載の組み合わせ物または１５〜２３のいずれか一項に記載の組成物。
【請求項２５】
前記脂質が、Ｓ−ニトロシル化脂質である、請求項２２〜２４のいずれか一項に記載の組み合わせ物または組成物。
【請求項２６】
前記脂質が、Ｓ−ニトロシル化１，２−ジパルミトイル−ｓｎ−グリセロ−３−ホスホチオエタノール（ＤＰＰＴＥ）である、請求項２２〜２４のいずれか一項に記載の組み合わせ物または組成物。
【請求項２７】
前記ナノ構造が、コア、および脂質二重層または単層を有する、請求項１４および１６〜２６のいずれか一項に記載の組み合わせ物または１５〜２６のいずれか一項に記載の組成物。
【請求項２８】
前記コアが、金コアである、請求項２７に記載の組み合わせ物または組成物。
【請求項２９】
前記アポリポタンパク質が、アポリポタンパク質Ａ−Ｉ（ａｐｏＡ−Ｉ）である、請求項２４〜２８のいずれか一項に記載の組み合わせ物または組成物。
【請求項３０】
前記リザーバー分子が、脂質ではない、請求項１４および１６〜２９のいずれか一項に記載の組み合わせ物または１５〜２９のいずれか一項に記載の組成物。
【請求項３１】
前記リザーバー分子が、ＮＯ供与基を含有する、請求項１４および１６〜３０のいずれか一項に記載の組み合わせ物または１５〜３０のいずれか一項に記載の組成物。
【請求項３２】
ドナー臓器をレシピエント対象に移植する方法における使用のための請求項１〜１３のいずれか一項に記載のインプラント可能なデバイスであって、前記方法は、
ドナー臓器を摘出するステップと、
前記ドナー臓器を、前記インプラント可能なデバイスと接触させるステップと、
前記ドナー臓器をレシピエント対象に移植するステップと
を含み、
前記インプラント可能なデバイスが、前記インプラント可能なデバイスに曝露されずに移植されたドナー臓器の危険性と比較して、前記ドナー臓器の拒絶反応の危険性を低減する、インプラント可能なデバイス。
【請求項３３】
臓器をレシピエント対象に移植する方法における使用のための請求項１〜１３のいずれか一項に記載のインプラント可能なデバイスであって、前記方法は、
臓器である前記インプラント可能なデバイスを調製するステップと、前記臓器をレシピエント対象に移植するステップと
を含む、
インプラント可能なデバイス。
【手続補正２】
【補正対象書類名】明細書
【補正対象項目名】００２０
【補正方法】変更
【補正の内容】
【００２０】
本発明の制限のそれぞれは、本発明の様々な実施形態を包含し得る。したがって、任意の１つの要素または要素の組合せを含む本発明の制限のそれぞれは、本発明の各態様に含まれ得ると見込まれる。本発明は、以下の説明に記載されるか、または図に例示される構成および構成成分の配置の詳細に、その適用が限定されるものではない。本発明は、他の実施形態を含むことができ、様々な方式で実施し、または行うことができる。本発明の１つまたは複数の実施形態の詳細を、添付の詳細な説明、実施例、特許請求の範囲、および図に記載する。本発明の他の特徴、目的、および利点は、本説明および特許請求の範囲から明らかになる。
本発明の実施形態において、例えば以下の項目が提供される。
（項目１）
一酸化窒素のためのリザーバーであるリザーバー分子のナノ構造を含む、インプラント可能なデバイス。
（項目２）
前記リザーバー分子が、脂質である、項目１に記載のインプラント可能なデバイス。
（項目３）
前記脂質が、修飾リン脂質である、項目２に記載のインプラント可能なデバイス。
（項目４）
アポリポタンパク質をさらに含む、項目１〜３のいずれか一項に記載のインプラント可能なデバイス。
（項目５）
前記脂質が、Ｓ−ニトロシル化脂質である、項目２〜４のいずれか一項に記載のインプラント可能なデバイス。
（項目６）
前記脂質が、Ｓ−ニトロシル化１，２−ジパルミトイル−ｓｎ−グリセロ−３−ホスホチオエタノール（ＤＰＰＴＥ）である、項目２〜４のいずれか一項に記載のインプラント可能なデバイス。
（項目７）
前記ナノ構造が、コア、および脂質二重層または単層を有する、項目１〜４のいずれか一項に記載のインプラント可能なデバイス。
（項目８）
前記コアが、金コアである、項目７に記載のインプラント可能なデバイス。
（項目９）
前記アポリポタンパク質が、アポリポタンパク質Ａ−Ｉ（ａｐｏＡ−Ｉ）である、項目４〜８のいずれか一項に記載のインプラント可能なデバイス。
（項目１０）
前記リザーバー分子が、脂質ではない、項目１に記載のインプラント可能なデバイス。
（項目１１）
前記リザーバー分子が、ＮＯ供与基を含有する、項目１〜１０のいずれか一項に記載のインプラント可能なデバイス。
（項目１２）
ステントである、項目１〜９のいずれか一項に記載のインプラント可能なデバイス。
（項目１３）
薬物溶出ステントである、項目１〜１２のいずれか一項に記載のインプラント可能なデバイス。
（項目１４）
ＮＯを対象に送達するための方法であって、
ＮＯ媒介性障害を有する対象に、リザーバー分子のナノ構造および一酸化窒素を、注射により、カテーテルを通して、またはインプラント可能なデバイス上から投与するステップを含む方法。
（項目１５）
前記ＮＯ媒介性障害が、血管新生または虚血再かん流である、項目１３に記載の方法。
（項目１６）
前記ＮＯ媒介性障害が、再狭窄である、項目１４に記載の方法。
（項目１７）
血管介入が、血管形成術である、項目１４に記載の方法。
（項目１８）
前記ＮＯ媒介性障害が、アテローム性動脈硬化症である、項目１４に記載の方法。
（項目１９）
前記ＮＯ媒介性障害が、血圧の調節不全である、項目１４に記載の方法。
（項目２０）
前記ＮＯ媒介性障害が、移植後の移植片拒絶反応である、項目１４に記載の方法。
（項目２１）
前記リザーバー分子が、脂質である、項目１４〜２０のいずれか一項に記載の方法。
（項目２２）
前記脂質が、修飾リン脂質である、項目２１に記載の方法。
（項目２３）
前記ナノ構造が、アポリポタンパク質をさらに含む、項目１４〜２２のいずれか一項に記載の方法。
（項目２４）
前記脂質が、Ｓ−ニトロシル化脂質である、項目２１〜２３のいずれか一項に記載の方法。
（項目２５）
前記脂質が、Ｓ−ニトロシル化１，２−ジパルミトイル−ｓｎ−グリセロ−３−ホスホチオエタノール（ＤＰＰＴＥ）である、項目２１〜２３のいずれか一項に記載の方法。
（項目２６）
前記ナノ構造が、コア、および脂質二重層または単層を有する、項目１４〜２５のいずれか一項に記載の方法。
（項目２７）
前記コアが、金コアである、項目２６に記載の方法。
（項目２８）
前記アポリポタンパク質が、アポリポタンパク質Ａ−Ｉ（ａｐｏＡ−Ｉ）である、項目２３〜２７のいずれか一項に記載の方法。
（項目２９）
前記リザーバー分子が、脂質ではない、項目１４〜２８のいずれか一項に記載の方法。
（項目３０）
前記リザーバー分子が、ＮＯ供与基を含有する、項目１４〜２９のいずれか一項に記載の方法。
（項目３１）
ドナー臓器をレシピエント対象に移植するための方法であって、
ドナー臓器を摘出するステップと、
前記ドナー臓器を、項目１〜１３のいずれか一項に記載のインプラント可能なデバイスと接触させるステップと、
前記ドナー臓器をレシピエント対象に移植するステップと
を含み、
前記インプラント可能なデバイスが、前記インプラント可能なデバイスに曝露されずに移植されたドナー臓器の危険性と比較して、前記ドナー臓器の拒絶反応の危険性を低減する、方法。
（項目３２）
臓器をレシピエント対象に移植するための方法であって、
臓器であるインプラント可能なデバイスを調製するステップであって、前記インプラント可能なデバイスが、項目１〜１３のいずれか一項に記載のデバイスである、ステップと、前記臓器をレシピエント対象に移植するステップと
を含む方法。